(57)【要約】  本発明は、外部エンティティ（例えば、人）からユーザに送信される電子メールのような不要な電子通信メッセージの受信を防止するための方法およびシステムに関し、この方法に従って、前記エンティティの各々は、ユーザと通信するためにユーザ向けの一意のアドレスまたはメンバチャネルを最初に与えられる。この一意のアドレスは、最初のチャレンジ／応答手順時に外部エンティティによって正しい回答が与えられた後にのみ外部エンティティに与えられる。一意のアドレスはメールアドレス自体の一部を形成し、したがって、外部エンティティがユーザと通信しようとするたびに特定のパスワードが与えられる必要を回避する。ユーザ自身は、本発明による方法およびシステムを極めて透過的に経験し、したがって、ユーザに通常のメール受信を経験させながら、ユーザに不要な電子メッセージの受信に対する極めて高度な保護を与える。【選択図】  図１
2008520022.tif 000002
【特許請求の範囲】
【請求項１】
人またはユーザの機械のような外部エンティティからのメッセージのような不要な電子通信アイテムの受信を防止するための方法であって、この方法に従って、前記エンティティの各々は、ユーザと通信するためにユーザ向けの一意のアドレスまたはメンバチャネルを最初に与えられる、方法。
【請求項２】
前記アイテムは電子メールである、請求項１に記載の方法。
【請求項３】
前記アドレスは電子メールアドレスである、請求項２に記載の方法。
【請求項４】
前記ユーザ向けの一意のメールアドレスまたはメンバチャネルは、電子メールアドレス自体の中に指定される、請求項１に記載の方法。
【請求項５】
前記一意のメールアドレスまたはメンバチャネルは、［メンバチャネル］＠［ユーザ名］．［ドメイン］、［メンバチャネル］．［ユーザ名］＠［ドメイン］、または［メンバチャネル］＠［ユーザアドレス］の形式である、請求項４に記載の方法。
【請求項６】
前記一意のメールアドレスまたはメンバチャネルは、ユーザによって定義された要求に対する前記外部エンティティによる満足のいく回答の後にのみ前記外部エンティティに割り当てられる、請求項２〜５のいずれか１項に記載の方法。
【請求項７】
前記ユーザ定義要求はチャレンジ／応答手順である、請求項６に記載の方法。
【請求項８】
前記一意のアドレスは、ユーザによって定義される、請求項１〜７のいずれか１項に記載の方法。
【請求項９】
前記一意のアドレスは、前記外部エンティティによって定義される、請求項１〜７のいずれか１項に記載の方法。
【請求項１０】
前記ユーザ定義要求またはチャレンジ応答は、前記不要な電子通信アイテムの受信に対する保護のための複数のユーザ定義保護レベルを含む、請求項６または７に記載の方法。
【請求項１１】
前記チャレンジ／応答手順は、前記外部エンティティが前記電子通信アイテムをユーザに初めて送信しようとしたときに前記外部エンティティに提示される質問からなる、請求項７または１０に記載の方法。
【請求項１２】
前記チャレンジ／応答手順は、前記外部エンティティが電子メールによってユーザに初めて連絡しようとするときに前記外部エンティティに提示される画像またはグラフィック情報を含む、請求項７または１０に記載の方法。
【請求項１３】
前記チャレンジ／応答手順は、前記外部エンティティが電子メールによってユーザに初めて連絡しようとするときに前記外部エンティティに提示される音声信号を含む、請求項７または１０に記載の方法。
【請求項１４】
前記チャレンジ／応答手順は、前記外部エンティティが電子メールによってユーザに初めて連絡しようとするときに前記外部エンティティに提示されるコードを含む、請求項７または１０に記載の方法。
【請求項１５】
外部エンティティからのメッセージのような不要な電子通信アイテムのユーザの受信を防止するためのシステムであって、
（ｆ）前記外部エンティティから着信電子通信アイテムを受信するためのサーバまたは他の電子処理／格納手段と、
（ｇ）前記ユーザの受信電子通信アイテムを受信するための受信トレイと、
（ｈ）前記外部エンティティへの質問のようなチャレンジを送信するためのデータベースまたは他の電子処理／格納手段のようなチャレンジ／応答手段と、
（ｉ）前記外部エンティティからの前記チャレンジへの応答を受信するための手段と、
（ｊ）前記チャレンジ／応答手順中に受け入れられる応答を受信したか否かを決定するための決定手段と、
を備え、
前記決定手段による前記応答の受け入れ次第、前記電子通信アイテムが前記受信トレイに受け渡される、システム。
【発明の詳細な説明】
【技術分野】
【０００１】
本発明は一般的に、電子通信ネットワークの分野およびこれらのネットワークで通信するための方法に関し、さらに詳しくは、そのようなネットワークにおける電子メールによる通信に関し、特に一般的にスパムとして知られる不要な電子メールの受信を防止するための方法および対応するシステムに関する。
【背景技術】
【０００２】
不要な電子メール（スパム）の受信を防止するための多数の方法およびシステムが当業界で公知である。例えば米国特許第６２６６６９２号は、ヘッダに基づくパスワードを使用して不要な電子メールを遮断するための方法を開示している。該方法によると、電子メールにより受信者と通信することを希望する全ての送信者は、実際に受信者に電子メールを送信することができる前に、事前承認を受けなければならない。したがって、各送信者には受信者によって提供される個々のパスコードが割り当てられ、渡されたパスコードは、電子メールを受信者に送信するたびに、電子メールのヘッダの指定されたフィールドに入力しなければならない。パスコードを備えていない電子メールは、受信者がこれらの受信を望むまで、提供される通信ネットワークのメモリに保持することができる。代替的に、ネットワークプロバイダは最終的にこれらを削除する。最初に間違ったパスワードを備えた電子メールは、いずれにせよ削除される。
【０００３】
代替的方法およびシステムは、スパムの受信を防止し、さらに、スパムをスクリーニングするためのスパムデータベースを蓄積し、更新することのできる電子通信サービスに関する米国特許出願公開第２００４／０１８１４６２号に記載されている。該システムは、電子メッセージがサービスプロバイダから受信者へ送信される前に呼び出されるフィルタリングステップを含み、それによって迷惑電子メールは削除される。この削除は、着信する電子メールを既知の不要な電子メールおよび送信者のデータベースと比較することによって達成され、比較結果が正の場合、電子メールの一部分がデータベースに追加され、不要と標識される。該明細書は、着信電子メールを不要とみなすべきか否かをいかに推測するかを詳述しており、推測には、着信メールが望ましくない発信源から送信された確率Ｐの算出が必要である。算出された確率はその後、不要な電子メールの受信を回避することの重要性をある意味でこのように決定する、閾値と比較される。この方法およびシステムでは、特別なパスコードまたは他の識別子は必要でない。
【発明の開示】
【０００４】
定義
以下に、本明細書で使用する多数の用語を定義する。
【０００５】
ユーザ／メンバ
本明細書では、本発明に係る通信方法またはシステムを用いて１つまたはそれ以上の外部エンティティ（人、組織等）と電子メールによって通信する人、組織、会社等、またはいずれかの他のエンティティをユーザと呼ぶ。本発明の方法およびシステムを利用するために、ユーザは実際には該方法およびシステムによって提供されるサービスに加入しなければならず、以下の段落でさらに詳述するように、該システムの必要なハードウェアおよび／またはソフトウェアは例えばネットワークプロバイダまたは他の組織もしくは会社に、あるいは代替的にユーザ自身のところに存在する。
【０００６】
本明細書では、電子メールでユーザと通信する人、組織、会社、または他のエンティティをメンバと呼ぶ。
【０００７】
スパム
本明細書全体を通して、用語スパムとは、それのみに限定しないが、主として、例えば製品またはサービスの販売促進のために、あるいは単にユーザを困らせるために、ユーザに送信される迷惑電子メールを指す。それはさらに、不要な電子メールをユーザに受信させる討論グループ、掲示板、またはニュースレターへの不適切または不要な販売促進用または商業用掲示を指す。したがって、例えば機械ベースの配信に起因する全ての不要な電子メールは、本発明の文脈におけるスパムの定義に含まれる。
【０００８】
より一般的な意味で、本明細書では、用語スパムは、ユーザが基本的にユーザ自身によって制御される方法でその受信を回避できることを希望する、全ての不要な電子通信メッセージ等の共通項として使用される。
【０００９】
スパマ
スパマとは、ユーザの電子メールアドレス、またはユーザの電子通信手段へのアクセスを得るために必要な他のアクセス情報の知識を有し、このアドレスを他者に渡すか、あるいは自分でユーザへのスパムを作成するいずれかの人（またはいずれかの手段、組織等）を指す。同様に、「スパミング」とは、前記人、手段、または組織自体から発信されるか、あるいは前記人、手段、または組織を介してどこか別の場所から発信された、不要な電子メールまたは他の電子メッセージをユーザに提供することを指す。
【００１０】
システム
システムとは、サークルで相互に連携して働き、ユーザを包囲し、スパムの受信からユーザを保護する一種の障壁と理解される、技術の集合である。
【００１１】
必要な電子システムは、大部分がシステム自体より多くの機能性を有しかつより複雑である、必要なサーバ、データベース、ブラウザ、電子データ伝送手段等のような、既存の技術／要素に大幅に基づく。
【００１２】
サークル
上述のサークルとは、技術が特定の設定と共に協働（協力）するときに形成され、特定の特製コンピュータコードによって制御される手段である。
【００１３】
このサークルは、システムの具体的な部分である。特製コンピュータコードの機能性および技術の設定は、サークルを適切に保持する「接着剤」とみなされる。他の電子メール技術を使用するには、他の特別設計コード行が必要になるが、サークルは本明細書に記載しない環境に変換することができる。
【００１４】
サークルでセットアップされたシステムを使用するユーザの経験は、システムの結果である。
【００１５】
概念的に、サークルは、システムのユーザを包囲し、それによって電子メール等のような不要な電子通信アイテムをユーザが受信するのを防止する、閉じた境界とみなすことができる。
【００１６】
メールチャネル
メールアドレスまたはメールチャネルとして広く知られているものは、［ユーザ名］＠［ドメイン］表記によって記述することができる。
【００１７】
発明の開示
冒頭に記載した背景に基づいて、本発明の目的は、製品もしくはサービスの販売促進のために、または単にユーザを困らせるために送信されるメッセージのような、迷惑電子メールまたは他の電子通信アイテムの受信をそれによって回避することのできる方法および対応するシステムを提供することである。この独創的な方法およびシステムはさらに、不要な電子メールまたは他の電子メッセージをユーザに受信させる討論グループおよび掲示板またはニュースレターへの不適切または不要な販売促進用または商業用の掲示の受信を回避する。特定の結果として、例えば機械ベースの配信に起因する全ての不要な電子メールの受信は回避される。
【００１８】
本発明のさらなる目的は、前記電子メールまたはメッセージの通常の受信中に、ユーザがシステムの存在を経験することなく、不要の電子メールまたは他の電子メッセージの拒絶をユーザに制御させる方法およびシステムを提供することである。つまり、通常の使用中に、該方法およびシステムはユーザには「透過的に」経験される。
【００１９】
本発明によると、上記目的は、ユーザが１つの共通メールアドレスを有し全ての送信者が（［ユーザ名］＠［ドメイン］）にメールを送るのではなく、各メンバにユーザ向けの一意のメールアドレス／アクセスアドレス（いわゆるメンバチャネル）を割り当てるようにした技術を使用する方法によって達成される。かくして、本発明に係る一意のメールアドレスは、例えば（［メンバチャネル］＠［ユーザ名］．［ドメイン］）または［メンバチャネル］．［ユーザ名］＠［ドメイン］の形式（表記法）とすることができる。メールアドレスの特定の形式はそれ自体重要ではなく、むしろ本発明に係る各メンバに、ユーザ向けの一意のメンバチャネルが割り当てられ、このメンバチャネルはアドレス自体の中に指定される。
【００２０】
メンバチャネルの前記アドレスまたは「名前」は、特定のメンバが容易に思い出せるように選択することができる。したがって、本発明の特定の実施形態では、メンバ自身が自分自身のアドレスを定義する。
【００２１】
例えば、前記アドレスは［メンバ名］［数字］＠［サービスプロバイダ名］．ｃｏｍの形式を取ることができ、ここでメンバ名は例えばメンバのファーストネームとすることができる。
【００２２】
そのような個別メールアドレスを「チャネル」または「メールチャネル」と呼ぶ。
【００２３】
チャネルは、メンバがシステムに連絡するときに「宛先アドレス」（受信者）として使用され、ユーザがシステムからメールを送るときに「発信元アドレス」（送信者）として使用される。
【００２４】
したがって、ユーザはどのチャネルを使用するかを考慮する必要は無く、誰にメールを送るかを考慮するだけでよい。
【００２５】
メンバは、システムの多くの他のアドレスの知識を持たず、ユーザにメールを送るときに、１つのメールアドレスだけ、すなわち彼自身の割り当てられたメンバチャネル、例えば（［メンバチャネル］＠［ユーザ名］．［ドメイン］）または（［メンバチャネル］．［ユーザ名］＠［ドメイン］を使用する／必要とする。
【００２６】
上記目的はさらに、外部エンティティからのメッセージのような不要な電子通信アイテムのユーザの受信を防止するためのシステムであって、
（ａ）前記外部エンティティから着信電子通信アイテムを受信するためのサーバまたは他の電子処理／格納手段と、
（ｂ）前記ユーザの受信電子通信アイテムを受信するための受信トレイと、
（ｃ）前記外部エンティティへの質問のようなチャレンジを送信するためのデータベースまたは他の電子処理／格納手段のようなチャレンジ／応答手段と、
（ｄ）前記外部エンティティからの前記チャレンジへの応答を受信するための手段と、
（ｅ）前記チャレンジ／応答手順中に受け入れられる応答を受信したか否かを決定するための決定手段と、
を備え、
前記決定手段による前記応答の受け入れ次第、前記電子通信アイテムが前記受信トレイに受け渡されるように構成された、
システムによって達成される。
【００２７】
該システムに含まれる様々な手段は、例えば本発明に係る方法およびシステムによって達成されるサービスを提供するサービスプロバイダにある、または代替的にユーザ自身（例えばユーザが大規模の企業、組織等である場合）のところにある、中央配置サーバの一部として設けることができる。しかし、システムの様々な部品は、それが有利であるとみなされた場合、異なる物理的位置に設けることもできることが理解される。
【００２８】
サークルの目的および利点
多数の重要な利点は、本発明に係る方法およびシステムの使用によって達成される。
＊ユーザに電子メールによってシームレスに既存の電子メールおよびウェブ技術に対応させること。
＊ユーザが電子メールによる通信以外に何もする必要なく、ユーザに各メンバ用の個別メールアドレスを使用させ、かつ自動的に割り当てさせること。
＊スレッドに基づくメール処理法をユーザに与え、かくして対話の概要を提供すること。
＊本発明に係る方法およびシステムを使用する重要な結果は、ユーザが彼の電子通信システムに対する彼の電子メールアドレスまたは他のアクセスアドレスで受信されたスパムメールまたは他の迷惑メールもしくはメッセージの受信に気付いたときに、ユーザが、ユーザの電子メールまたは他のアドレスが正確に誰に元来付与されたかを決定し、かつしたがって迷惑メール／メッセージが通過してきた少なくとも１メンバを検出することが可能になることである。
＊スパムである場合に、影響を受けたアドレスをスパミング側が再びスパムすることをユーザに効果的に停止させること。
＊これによりこの連絡情報の機械的な悪用の可能性を開くことなく、ユーザに連絡情報／ユーザの電子メールアドレスをウェブページおよび印刷媒体上に自由に表示させること。
【００２９】
図面の簡単な記述
本発明に係る方法およびシステムは、これにより達成される様々な効果および利点と共に、添付の図面に関連して以下の詳細な説明を参照することにより、いっそう深く理解されるであろう。
図１は、新しいユーザが本発明に係る方法およびシステムによって提供されるサービスに加入することを希望するときに実行される、「加入セッション」中の本発明の実施形態に係る方法およびシステムの新しいユーザのディスプレイスクリーンに提示される「新しいユーザの作成」画面を示す。
図２は、「加入セッション」中に本発明の実施形態に係る方法およびシステムの新しいユーザのディスプレイスクリーンに提示される、本発明に係るチャレンジ／応答手順に使用される、質問および対応する回答のユーザ定義のためのフィールドを含むセットアップページを示す。
図３は、本発明に係るチャレンジ／応答手順をさらに記載する、図２のセットアップページを示す。
図４は、本発明に係るチャレンジ／応答手順の詳細をさらに記載する、図２のセットアップページを示す。
図５は、本発明に係るチャレンジ／応答手順の詳細をさらに記載する、図２のセットアップページを示す。
図６は、本発明に係るチャレンジ／応答手順の詳細をさらに記載する、図２のセットアップページを示す。
図７は、ユーザに付与される新しい電子メールアドレスを含む、本発明に係る方法およびシステムの「加入セッション」中にユーザに提供されるレビュー情報を示す。
図８は、「加入セッション」中にユーザに提供されるさらなるレビュー情報を示す。
図９は、新しい潜在的メンバ（送信者）が本発明に係る方法およびシステムのユーザに初めて電子メールを送信するときに受信する、本発明のチャレンジ／応答手順にアクセスするためのウェブサイトへの指示を含む、第１ページを示す。
図１０は、本発明に係るチャレンジ／応答手順中に潜在的な新しいメンバに提示される質問を示す。
図１１は、図１０のチャレンジ／応答手順で正しい応答を提供する効果、つまり本発明の方法およびシステムのユーザに送達するための審査を電子メールが通過して、新しいメンバにメンバチャネルが提供されることを示す。
図１２は、本発明に係る代替的チャレンジ／応答手順を含む、メンバに提供される本発明の代替的実施形態に係る開始ページを示す。
図１３は、電子メールアドレス、つまりｙｏｕ＠ｍｒｓｐａｍｓｔｏｐｐｅｒ．ｃｏｍによりユーザが経験する本発明に係る方法およびシステムの効果の略図を示す。
【発明を実施するための最良の形態】
【００３０】
以下に、本発明に係る方法およびシステムの詳細な実施形態の様々な説明を掲げるが、添付の特許請求の範囲に記載する発明の範囲から逸脱することなく、本発明の開示に概説する本発明の基本的概念の他の実施形態も可能であることは理解される。
【００３１】
本発明の基本的概念に従って上述した通り、ユーザが１つの共通メールアドレスを持ち全ての送信者が（［ユーザ名］＠［ドメイン］）にメールを送るのではなく、電子メールを介してユーザにアクセスしようとする各メンバには、ユーザ向けの一意のメールアドレス（メンバチャネル）が割り当てられる。本発明に係る一意のメールアドレスは、例えば（［メンバチャネル］＠［ユーザ名］．［ドメイン］）または［メンバチャネル］．［ユーザ名］＠［ドメイン］形式（表記法）とすることができる。メールアドレスの特定の形式はそれ自体重要ではなく、むしろ本発明に係る各メンバに、ユーザ向けの一意のメンバチャネルが割り当てられ、このメンバチャネルは電子メールアドレス自体の中に指定される。
【００３２】
以下の詳細な説明は、ユーザの不要な電子メールの受信を防止することを第一の目的として、新しいユーザが本発明に係る方法およびシステムによって提供されるサービスに加入する／そのユーザになることを希望する場合の加入セッションを含む。加入セッション中に潜在的な新しいユーザによって実行される様々なステップについて、図１ないし１１を参照しながら説明する。加入セッションの説明後に、本発明に係る方法およびシステムに加入しているユーザと初めて通信しようとする者（潜在的な新しいメンバ）が経験する本発明に係る方法およびシステムの機能について、図１２ないし１５を参照しながら説明する。本発明に係る方法およびシステムに加入しているユーザの経験については、図１６を参照しながら詳述する。最後に、本発明に係るシステムについて、図１７および１８を参照しながら、かなり一般論として説明する。以下の詳細な説明全体を通して、本明細書に記載する特定の実施形態を集合的に「ミスタ・スパムストッパ（Ｍｒ．Ｓｐａｍｓｔｏｐｐｅｒ）」と呼ぶ。本発明に係る方法およびシステムによって提供される機能性は、実際には、多くの異なるハードウェアおよびソフトウェアの実装を用いて実現することができ、それらは全て添付の特許請求の範囲に記載する発明の範囲内に含まれる。
【００３３】
１．加入セッション（ユーザが、要するに「ミスタ・スパムストッパ」と呼ばれる本発明に係る方法／システムによって提供されるサービスに、加入することを希望する）
以下では、提示される様々なグラフィック情報は、そのような情報のレイアウトの単なる例とみなされるべきであり、これらのプレゼンテーションは、本発明に係る方法およびシステムの特定の実現に応じて変化することができることが理解される。
【００３４】
ミスタ・スパムストッパへのアクセスは、例えばインターネット上の適切なホームページ（この例ではｈｔｔｐ：／／ｆｌｕｅ４．ｃｏｍ）を介して、または対応する電子メール接続を介して達成することができる。このホームページを開くか、あるいはこの接続を確立すると、サービスの潜在的ユーザには、ディスプレイスクリーン上に、図１において一般的に参照番号１０で参照され必要な情報のための３つのフィールド、つまりミスタ・スパムストッパがユーザにそこで連絡することのできる新しいユーザの電子メールアドレスであるユーザ名のフィールド３、およびユーザ定義パスワードを含む２つのフィールド４、５を含む、「新しいユーザの作成」画面が提示される。任意選択的に、ユーザはフィールド６に彼のフルネーム、およびフィールド７にバックアップ電子メールアドレスを示すこともできる。上記フィールドの内容は、クリアアイコン８により消去することができる。次いで、継続アイコン９を押すと、図２に示すミスタ・スパムストッパのセットアップ画面がユーザに提示される。
【００３５】
図２を参照すると、ユーザにはこの後、ミスタ・スパムストッパの機能の短い説明が提示される。主要な特徴は、ミスタ・スパムストッパが誰かに、おそらく人に、あるいは場合によっては別のエンティティ、例えば自動エンティティ、ＰＣプログラム、またはユーザに対してスパムを意図的に作成する他のコンピュータベースの装置に、この人またはエンティティが電子メールを介してユーザに初めてメールを送るときに（例えばミスタ・スパムストッパに加入しているユーザとの電子メールを介する通信の説明の後で）尋ねる質問（いわゆるチャレンジ／応答手順で使用される質問）をユーザが提供することである。加入セッションの現段階でユーザは、ミスタ・スパムストッパにこの質問を提供しなければならず、前記人または他のエンティティは後で、上記フィールド３で定義したアドレスでユーザを初めてアドレス指定したときにそれに回答しなければならない。質問および対応する正しい回答を提供することによって、図６、７および８でさらに説明するように、ユーザ自身が希望するスパム保護のレベルを選択することができる。本発明に係る方法およびシステムでは、ユーザはしたがって、チャレンジ／応答手順で様々なタイプの質問および正しい回答の中から選択することによって、必要に応じて様々なスパム保護レベルを選択することができる。そのような質問の典型例は、フィールド「質問の例を参照する」（フィールド１１）をクリックすることによって得ることができる。ユーザは完全にオープンな電子メールアドレスを維持しながら、他のアドレスを本発明に係る方法およびシステムによって保護することさえもできる。
【００３６】
１つの例として、会社は、電子メールを自由に受信するように自社のホームページに示すそのメイン電子メールアドレスをオープンに維持する一方で、本発明に係る方法およびシステムによって、例えば「ミスタ・スパムストッパ」の個人加入者になることによって、会社の個々の社員の電子メールアドレスを、不要な電子メールの受信から保護することができる。
【００３７】
特定のシナリオによると、これらの個々のユーザの１人に対する電子メールの送信者は、電子メールの送信後、会社のロゴに続いて、テキスト「ＸＸＸ／会社への電子メールをありがとうございます。セキュリティ上の理由から、あなたの電子メールを受信する前に、以下に示す空白フィールドにご記入くださるようお願いします」を含む電子メールを受信する。
【００３８】
空白フィールド［    ］に貴社の社名をご記入ください。
【００３９】
その後、指定されたユーザ「ＸＸＸ」は上記電子メールを受信し、送信者は例えば、
「ＸＸＸは今、あなたの電子メールを受信しました。通常、受信から１ないし３営業日以内にご返事を差し上げることができます。また電話で１２３４５６７８に連絡してくださってもかまいません。今後は、次のメールアドレスでＸＸＸに直接連絡することができます。ｒｓｔｅｆ．ＸＸＸ＠ｃｏｍｐａｎｙ．ｃｏｍ．
よろしくお願いします。
ＸＸＸ／会社」
を含む電子メールを受信する。
【００４０】
図２に立ち返って、前記ユーザ定義された質問はフィールド１２に入力され、ユーザによって定義される、対応する正しい回答はフィールド１３に入力される。
【００４１】
上に示した通り、本発明に係る方法およびシステムによって提供される保護レベルは、ユーザによって定義することができる。これについては、図３、４、５および６に関連して例示する。
【００４２】
例えば保護レベル＃１（スパマを阻止するが、他の人は誰でも通過させる）をクリックすると、図４に参照番号１６で示す例がスクリーンに表示される。質問は例えば、「この文の３番目の語は何ですか？（Ｗｈａｔ  ｉｓ  ｔｈｅ  ｔｈｉｒｄ  ｗｏｒｄ  ｉｎ  ｔｈｉｓ  ｓｅｎｔｅｎｃｅ？）」とすることができ、対応する正しい回答は「ｔｈｅ」となる。別の質問は、「空は何色ですか？」とすることができ、対応する正しい回答は「青」となる。
【００４３】
同様に保護レベル＃２（知己の送信者だけを通過させる）をクリックすると、図５に示す質問／回答の例、つまり「私の弟の名前は何ですか？」および「ジョン」、ならびに「私の家は何色ですか？」および「赤」がそれぞれ、ディスプレイスクリーン上に示される。
【００４４】
最後に、図６に示すように、保護レベル＃３（招待者だけを通過させる）をクリックすると、図６に示す質問／回答の例、つまり「秘密の暗号は何ですか？」および「モンキービジネス」、ならびに「パスワードを教えてください」および「ストロベリ」がそれぞれディスプレイスクリーンに示される。
【００４５】
上述の通り質問および正しい回答の定義後に、ユーザは継続アイコン１４をクリックし、図７に示すディスプレイが表示される。
【００４６】
図７に示す通り、一般的に１９で参照されるディスプレイ画面は、ユーザの新しい電子メールアドレス（本発明に係る方法およびシステムによって不要な電子メールの受信から保護されるアドレス）を含むレビュー情報を含む。このアドレスはフィールド２０に示される。作成アイコン２１をクリックすると、その後、本発明に係る方法およびシステムによって提供されるサービスへの所望の加入の作成が発効される。
【００４７】
最後に、図８に示すように、本発明の方法およびシステムの効果／使用に関する幾つかの追加情報がユーザに提供される。
【００４８】
２．「ミスタ・スパムストッパ」に加入しているユーザに電子メールを初めて送信しようとする誰か（人または他のエンティティ）が経験する方法およびシステム（「ミスタ・スパムストッパ」）の機能
図９を参照すると、ミスタ・スパムストッパから、電子メールをユーザ：ＭｒＸ＠ｆｌｕｅ４．ｃｏｍ（受信者）に初めて送信しようとした誰か（新しい電子メール送信者）への応答が示されている。図９で、新しい電子メール送信者は、用件「Ｒｅ  Ｔｅｓｔ（ｆｌｕｅ４）」に関する電子メールをユーザ（受信者）：ＭｒＸ＠ｆｌｕｅ４．ｃｏｍ．に送信する。その結果、新しい電子メール送信者は図９に示すメッセージ、すなわち「ＭｒＸ＠ｆｌｕｅ４．ｃｏｍ宛てのメールをあなたから受信しました。受信者に配信する前にメールは検証されなければなりません」を受信する。図示するように、新しい電子メール送信者はウェブサイト：ｈｔｔｐ：／／ｗｗｗ．ｆｌｕｅ４．ｃｏｍ／ｃｈａｌｌｅｎｇｅ／？ｉｄ＝２６２（参照番号２４）を指示され、このウェブサイトを訪れると、送信者は次に、図１０に示す画面２５を受け取る。質問（上述の通り、元来ユーザによって定義された）、つまり「空は何色ですか？」がフィールド２６に提示され、送信者は正しいと信じる回答、「青」をフィールド２７に示す。次いで彼はアイコン２８（「回答を送信する」）をクリックする。回答が正しいことを前提として、次いで、この場合は「メールが審査を通過した」（６９）と指摘する、図１１に示すスクリーン画面２６を送信者は受け取る。本発明の方法およびシステムのこの実施形態によると、該方法／システム（つまり「ミスタ・スパムストッパ」）は、ユーザとのその後の連絡のために送信者によって適用される特定のメンバチャネル、つまり図１１で７０によって示されるように「ｑｏｐａ．ｍｒｘ＠ｆｌｕｅ４．ｃｏｍ」を選択する。手順のこの段階で、現在の電子メールはさらに「ミスタ・スパムストッパ」によってユーザ（受信者）に配布される。
【００４９】
しかし、本発明に係る方法およびシステムの代替的実施形態では、送信者自身がこのメンバチャネルの名前を定義することができ、それは、送信者が彼のメンバチャネルの名前を思い出すことができるようにするために有利であるかもしれない。
【００５０】
図９ないし１１に示すスクリーン画面の代替例として、図１２に示す開始ページ７１を本発明に従って実現することができる。多くの点で、図９ないし１１に関連して上述した通り実行される手順の場合と同じ情報が、送信者と「ミスタ・スパムストッパ」との間で、図１２に示すインタフェース手段を用いて受け渡される。しかし、本発明に係る代替的チャレンジ／応答手順を図１２に関連して例示する。しかし、この手順、またはさらに言えばいずれかの他の関連チャレンジ／応答手順も同等に、図９ないし１１で説明した手順を使用して実現することができることは理解される。
【００５１】
図１２に示すように、本発明のこの実施形態に係るチャレンジ／応答手順における質問は、この例では栗毛の馬を描いた、図１２に示す開始ページ７１で送信者に提示される画像３４に関連する。送信者の応答は、図示した実施形態では、開始ページでアクセス可能な選択肢のリスト３５、例えば「栗毛の馬、黒牛、白犬等」の提示によって補助される。送信者が正しい回答であると信じるものを選択した後、ボタン３６を押し、手順は原則的に、上で図９ないし１１における本発明の説明で概説したように進行する。
【００５２】
チャレンジ／応答手順はさらに代替的に、非画像アクセス情報に頼ることができる。したがって、例えば図１２の栗毛の馬の画像の表示は、平均的な人間に周知である選択された音声信号、例えば女性の歌声の発生と置換することができ、対応する質問はこの音声が何であるかとし、（可能な補助付き）回答は、「これは女性の歌声である」とすることができる。
【００５３】
図１２に示す連絡ページにある、チャレンジ／応答関連項目以外の別の他の項目、およびその使用の効果について、以下で説明する。
【００５４】
オフィシャルウェルカムテキスト
該システムのサービスプロバイダが標準指示「これは何ですか？」等を書き込むことのできる領域。
【００５５】
パーソナルウェルカムテキスト
これは、エンドユーザが、「こんにちは、ようこそ。下に書き込んで送ってください」のような個人的情報を挿入することができる領域である。おそらく、会社のロゴ、ホームページへのリンク、および個人的な画像も含む。
【００５６】
用件フィールド２９
これは、ユーザのフォーラムに送信される電子メールに用件フィールド（トピック）を形成する。
【００５７】
メッセージフィールド３０
これは、ユーザのフォーラム内の掲示として送信される電子メールにメッセージフィールドを形成する。
【００５８】
ブラウザによる添付ファイルフィールド３１
これは、初期メールの送信者がユーザのフォーラムへの掲示に単数または複数のファイルを添付する機会を提供する。
【００５９】
名前フィールド３２
必須フィールド：送信者の名前またはアバタ名。
【００６０】
メールアドレスフィールド３３
必須フィールド：送信者のメールアドレス。
【００６１】
上記メールのコピーを私自身のメールアドレスに送信する
メールのコピーを、連絡側によって提供されたメールアドレスに送信する。
現在の実施例では、「ＯＫ−メールをＦｒｉｔｓに送信する」を押すと、次のことが発生する。
ｍｒ  ｔｅｓｔｅｒｓｏｎ＠ｆｒｉｔｓ．ｆｌｕｅ４．ｃｏｍがメールサーバに新しいメールアドレスとして作成される。
【００６２】
テスターソン氏は「自分にコピーを送信する〜」にマークを付けたので、書き込まれた内容のメールがｔｅｓｔｅｒｓｏｎ＠ｄｅｍｏｃｏｍｐａｎｖ．ｃｏｍに送信される。
【００６３】
これの発信元アドレスはｍｒ  ｔｅｓｔｅｒｓｏｎ＠ｆｒｉｔｓ．ｆｌｕｅ４．ｃｏｍであり、テスターソン氏はこれに対して応答し、フリッツ（ユーザ）と連絡することができる。
【００６４】
この初期連絡は、（フリッツが形成されたチャネルを停止／切断することを選択しない限り；その場合、テスターソン氏はページに再び接続し、この新しいチャネルのために新しい名前を入力するように指示される）、テスターソン氏がｆｒｉｔｓ．ｆｌｕｅ４．ｃｏｍを通してフリッツと連絡しなければならない唯一のときである。
【００６５】
おそらくこの初期メールの最上部に、次のように追加される。
−−−−−ｆｌｕｅ４．ｃｏｍスパムフリーロボットによって自動的に生成−−−−−
テスターソン様、あなたはｆｌｕｅ４．ｃｏｍ特許スパムフリーメールシステムを使用しているフリッツにメールを送られました。
以下は、あなたがフリッツに送信したメールのコピーです。
【００６６】
あなたが今後フリッツにメールを送るために使用できるメールアドレスは、ｍｒ  ｔｅｓｔｅｒｓｏｎ＠ｆｒｉｔｓ．ｆｌｕｅ４．ｃｏｍです。これは、フリッツにメールを書くためのあなたの個人的かつ機密のメールアドレスです。フリッツに連絡することを希望する他の人は誰でも、ｆｒｉｔｓ＠ｆｒｉｔｓ．ｆｌｕｅ４．ｃｏｍを通してこれを行なうことができます。ありがとうございました。
−−−ｆｉｕｅ４．ｃｏｍスパムフリーロボットによる自動生成の終り−−−
【００６７】
テスターソン氏は、メールを読み書きするために、フリッツがログオンするフォーラムの新しいメンバとして作成される。
【００６８】
３．ユーザが経験する本発明に係る方法およびシステム（「ミスタ・スパムストッパ」）の機能
図１３を参照すると、電子メールアドレス：ｙｏｕ＠ｍｒｓｐａｍｓｔｏｐｐｅｒ．ｃｏｍを持つユーザが経験する、本発明に係る方法およびシステムの効果の略図が示されている。図において、中心領域５９はユーザを図式的に示し、１を包囲する円形領域５８は、本発明に係る方法およびシステム（「ミスタ・スパムストッパ」）の機能つまり最初に定義した「サークル」を示し、この領域は、本発明の方法およびシステムの様々な機能を実現するために必要な、図１３にボックス３８で象徴的に表わされるハードウェアおよびソフトウェアを含む。外側領域５７は、電子メールでユーザと通信することを希望する送信者を含む、「世界の残り」を示す。参照番号３７に関連して、送信者はユーザｙｏｕ＠ｍｒｓｐａｍｓｔｏｐｐｅｒ．ｃｏｍに電子メールを送信し、それにより送信者には、上述したようにチャレンジ応答３９が提示される。送信者が正しい回答を出すことを前提として、個別メールチャネルが４１で形成され、こうして送信者からの不要なメールの受信が効果的に防止される。
【００６９】
例えばニュースレターにユーザのアドレスを付与するために、ブラウザのプラグインを用いて、何らかのサービス等に加入し、あるいはインターネット上にプロファイルを作成することを達成し、参照番号４３によって示すようにページ上にアドレス（チャネル）を挿入することができ、それにより４４でチャネルが作成され、その後、インターネット上のデータベースに、ユーザがこれを受け入れる限り、彼らがそれを通してユーザにメールを送ることのできるチャネルができる。
【００７０】
参照番号４８に関連して、ユーザは、本発明の方法およびシステムを介して、通常の方法で電子メールを外部受信者に送信することができる。受信者がすでにチャネルを有している場合（４９）、受信者は、チャネルアドレスをメールの送信者として、ユーザから受信者のアドレスへの通常の電子メールを受信する（５１）。受信者がまだチャネルを持っていない場合、チャネルが作成される（５０）。
【００７１】
受信者は、応答（自動応答）するためにあなたのメールを他の誰かに転送することができ（５２）、その後、他の誰かがあなたの電子メールに応答する（５３）。本発明の方法およびシステムによって提供されるサービスに入ると、チャネルが認識され（５４）、メールが通過され（５５）、結果的に生じる他人からのメールの着信回答（５６）が、いつもと全く同様に、ユーザによって経験される。
【００７２】
参照番号６０によって示されるように、受信者はしかしながら、チャネルをスパマに漏らすことがあるかもしれず（受信者が知っているチャネルが、受信者が漏らすことのできる唯一の情報である）、あるいは代替的に、受信者は、あなたが希望しないメールをあなたに送信し始める。また、この場合、チャネルは本発明の方法およびシステムによって認識される（６１）が、この場合、誰があなたのアドレス（チャネル）をスパマに漏らしたかが実際に表示され（６３、６４）、その後、例えば図２に参照番号７２で（図１３に参照番号６５で）示されるミスタ・スパムストッパアイコンをクリックすることができ、その効果としてチャネルおよびメールは削除される（６６）。この後、このアドレスはもはや存在しないので、誰もそれを二度と使用することはできず（６７）、したがって誰もあなたにスパムメールを提供することができず、ニュースレターは解除等の処置がとられる。誰かが削除されたチャネルにメールを送ろうとすると（６８）、彼に対して再び本発明のチャレンジ／応答手順が提示され、正しい回答が提供されると、新しいチャネルが作成され、彼は上述したように再びあなたに電子メールを送信することができる。
【００７３】
要約すると、ミスタ・スパムストッパサービスのユーザは概して、いつもと同様の環境世界を持つ電子メール通信を経験するが、スパムおよび他の不要なメールアイテムを阻止する追加的な能力、およびそのようなメールアイテムがどこから来たかを検出する能力を備える。
【００７４】
最後に、本発明に係る方法およびシステムの延長実施形態について示す。該実施形態によると、ユーザまたはより大規模の組織（例えば会社または機関）は、本発明の方法およびシステム（「ミスタ・スパムストッパ」）を介して周囲の世界に対しより多くの門戸を開くことができる。次のようなシナリオを考慮する。ある会社はスパム保護された電子メールをその従業員に提供することを希望しているが、ある特定の期間、「裏口」を通して迷惑メールをも阻害されずに受信することをも可能にしたいと希望している。ユーザはしたがって自分で、本発明に係るチャレンジ／応答手順で使用される彼の質問を定義することができるが、誰でもアクセスできるようにする「汎用アクセスキー」を設けることもできる。このキーは、必要に応じて何度でも中央で制御しかつ変更することができ、これにより「鍵穴」以外は何も変化しない。
【００７５】
「汎用アクセス」はまた、例えばメールに付いてくる補助データで書かれたコードの形を取ることもでき、該データはユーザには見えない。これは、メールにこのコード化情報（例えば、電子メールのヘッダにおけるわずか６個の文字）が含まれる場合に、メールがチャレンジ応答無しに直接通過することを意味する。このコードはさらに、中央で、またはユーザによって選択されたセットアップに従って、変更することができる。したがって、例えばある国のあるメール機関はスパムの無い電子メールを提供することができ、そこではアカウントを持つものだけが、例えばそのような「汎用キー」をコマーシャルの提供者に販売することによって、コマーシャルを配信することができる。さらに、「汎用キー」は使用後にリセットすることができる。
【００７６】
さらに、本発明に係る方法およびシステムのさらに別の実施形態では、ユーザはより多数の質問またはより多数の回答を、例えば「あなたの問合せは何に関するか？」を持つことができ、メールはチャレンジ応答を受信するだけではなく、社内の適切な場所にも送られる。
【００７７】
基本的に、外部エンティティからのメッセージのような不要な電子通信アイテムのユーザの受信を阻止するためのシステムは、以下の技術的特徴／機能ブロックを用いて実現することができるが、様々なこれらの特徴／ブロックは、他の手段によって実現することができ、かつ依然として添付の特許請求の範囲によって定義される本発明の範囲内であることは理解される。
（ａ）着信電子通信アイテムを前記外部エンティティから受信するためのサーバまたは他の電子処理／格納手段。
（ｂ）前記ユーザの受信電子通信アイテムを受信するための受信トレイ。
（ｃ）質問のようなチャレンジを前記外部エンティティに送信するためのデータベースまたは他の電子処理／格納手段のようなチャレンジ／応答手段。
（ｄ）前記外部エンティティから前記チャレンジへの応答を受信するための手段。
（ｅ）前記チャレンジ／応答手順中に受け入れ可能な応答を受信したか否かを決定するための決定手段。
【００７８】
このシステムを適用することによって、電子メールのような電子通信アイテムは、外部エンティティ、例えば電子メールをユーザに送信する人からの応答の前記決定手段による受け入れ後に、ユーザの受信トレイ上に渡される。
【００７９】
用語「受信トレイ」は広義に解釈すべきであり、言うまでもなく他の適切な受信／ディスプレイ手段がユーザのところに存在するかもしれないことに注目されたい。
【実施例】
【００８０】
本発明の方法およびシステムの使用のさらなる実施例および／または使用の結果
実施例１：
誰かがユーザにメールを送信することを希望しており、連絡情報としてブラインド送信者アドレスまたはサブドメインしか持たない。
【００８１】
ブラインド送信者アドレス（［ユーザ名］＠［ユーザ名］．［ドメイン］）に電子メールを送信しても、ユーザへの通知は作成されないが、システムによって連絡側へ自動応答電子メールが生成される。
【００８２】
ブラインド送信者アドレスにメールを送ったときに受け取る自動応答電子メールは、ユーザの連絡ページ（ｈｔｔｐ：／／［ユーザ名］．［ドメイン］）への到達の仕方に関する情報を保持する。
【００８３】
代替的に、自動応答電子メール自体がＨＴＭＬ形式であり、ユーザの連絡ページ（ｈｔｔｐ：／／［ユーザ名］．［ドメイン］）の機能性を含み、したがって連絡側の手間を最小化する。
【００８４】
ユーザの連絡ページ（ｈｔｔｐ：／／［ユーザ名］．［ドメイン］）に入ると、そのページの機能性の起動を導く。
【００８５】
実施例２：
誰かが、ユーザによって停止／切断されたメールアドレスにメールを送る。
【００８６】
チャネルがユーザによって停止／切断された場合、この電子メールアドレスはブラインド送信者メールアドレス（［ユーザ名］＠［ユーザ名］．［ドメイン］）のような機能性を有する。
【００８７】
実施例３：
ユーザが、ウェブページ／名刺（連絡方法）等に連絡情報を公開またはリンクすることを希望する。
【００８８】
ユーザは、「ブラインド送信者アドレス」［ユーザ名］＠［ユーザ名］．［ドメイン］を公開またはリンクすることを選択することができる。
【００８９】
ユーザは、ｈｔｔｐ：／／‐アドレス［ユーザ名］．［ドメイン］を公開またはリンクすることを選択することができる。
【００９０】
実施例４：
ユーザが、すでにメンバであり／ユーザのサークルへのチャネルを有する誰かに新しいメールを送ることを希望する。
【００９１】
ユーザは掲示板にログオンする。
【００９２】
ユーザは、フォーラムの所望部分の掲示板に新しいトピックを作成する（そこでスレッドが開始され、継続される）。
【００９３】
フォーラムに新しいトピックを書き込むときに、ユーザは、フォーラムのどのメンバがメッセージの受信者になるかを選択する。
【００９４】
システムは、フォーラムの掲示を電子メールの内容とする電子メールをメンバの電子メールアドレスに送信する。
【００９５】
実施例５：
ユーザが、メンバではない／ユーザのサークルにチャネルを持たない誰かにメールを送ることを希望する。
【００９６】
ユーザは掲示板にログオンする。
【００９７】
ユーザは、フォーラムの所望部分の掲示板に新しいトピックを作成する（そこでスレッドが開始され、継続される）。
【００９８】
代替的に、フォーラムのメンバを受信者として入力するために、ユーザは受信者の電子メールアドレスを入力し、任意選択的に、作成されるチャネル／メンバのさらなる情報を提供する。
【００９９】
システムは、ユーザの入力に基づいて自動的にフォーラムの新しいメンバを作成する。
【０１００】
システムは、フォーラムの掲示を電子メールの内容とする電子メールを新しいメンバのメールアドレスに送信する。
【０１０１】
実施例６：
ユーザは、ニュースレターのような機械的部分に、またはメンバシップの目的のために、メールアドレスを割り当てることを希望する。
【０１０２】
ユーザは掲示板にログオンするか、あるいは他の限られた方法を使用して、システムの機能にアクセスする。
【０１０３】
ユーザは、チャネルの少なくとも名前、例えば「ニュースレター」を入力する。
【０１０４】
ユーザは、その目的、注意、画像等を記述するより多くの情報をチャネルに追加することができる。
【０１０５】
ユーザの入力に基づいて、
システムは掲示板の新しいメンバを生成する。
メンバの名前はユーザによって提供される。
ユーザによって提供されるさらなる詳細は、メンバについてさらに記述する。
システムは、新しいメールアドレス［入力された名前］＠［ユーザ名］．［ドメイン］を作成する。
【０１０６】
システムはユーザに、機械的部分に付与されるメールアドレスを提供する。
【０１０７】
実施例７：
ユーザおよびメンバが同一主題／同一スレッドで複数のメールを書く。
【０１０８】
システムが新しい電子メールを受信すると、電子メールが自動的にフォーラムに掲示される前に、主題の行が自動的に解析される。
【０１０９】
システムは、主題の行の最後の部分を見て、これを既存のフォーラムトピックと照合する。実際には、これは、タイトル「われわれの休日〜」を持つ掲示がフォーラムに存在し、主題の行が「用件：われわれの休日〜」である新しいメールが受信された場合、非一致部は剥ぎ取られ、メールはトピック「われわれの休日」に新しい掲示として入力されることを意味する。
【０１１０】
ユーザにとっての結果は、全てのトピックがフォーラムでスレッドされるということである。
【０１１１】
よく機能するフォーラム経験をユーザに提供するために、他のそのような「剥ぎ取り」技術を使用することができる。
【０１１２】
デフォルトとして、新しいトピックを書くメンバ（または新しく生成されたメールチャネル）を、「プライベート」、「仕事」、「家族」等のようなフォーラムのカテゴリに入るように割り当てることができる。
【０１１３】
実施例８：
ユーザが不要な電子メール／スパムを受信する。
ｐｈｐＢＢと同様のシステムを使用する所与の例において、フォーラムの各掲示は掲示部のメンバ情報の横にくる。これに加えて、システムは、不要の電子メールを削除し、チャネルを削除するための余分のボタンを有する。
【０１１４】
その結果、全ての受信メールの横で、チャネルを停止することができる。
【０１１５】
このボタンをクリックすると、送信側が使用しているメールアドレスが「ブラインド」化され、フォーラムのメンバが削除され、不要の掲示／電子メールが削除される。
【０１１６】
ユーザはもはや、この電子メールアドレスを通して連絡を受けることはできなくなり、したがって、このユーザに対するスパマの活動は効果的に終了する。
【０１１７】
問題のある電子メールアドレスを誰が最初に作成したか、あるいはそれが本来誰に付与されたかは、チャネルに組み込まれているので、ユーザはこれを見ることができる。
【０１１８】
実施例９：
ユーザのサークルに「不正侵入」しようとする機械的な試みが行なわれる。
ユーザの連絡ページで、１つの発信元（ＩＰアドレス）からの短期間の多数回の誤った推測（しばしば「総当り攻撃」と呼ばれる）は、接続側の自動的な機械的遮断を導く。
【図面の簡単な説明】
【０１１９】
【図１】新しいユーザが本発明に係る方法およびシステムによって提供されるサービスに加入することを希望するときに実行される、「加入セッション」中の本発明の実施形態に係る方法およびシステムの新しいユーザのディスプレイスクリーンに提示される「新しいユーザの作成」画面を示す。
【図２】「加入セッション」中に本発明の実施形態に係る方法およびシステムの新しいユーザのディスプレイスクリーンに提示される、本発明に係るチャレンジ／応答手順に使用される、質問および対応する回答のユーザ定義のためのフィールドを含むセットアップページを示す。
【図３】本発明に係るチャレンジ／応答手順をさらに記載する、図２のセットアップページを示す。
【図４】本発明に係るチャレンジ／応答手順の詳細をさらに記載する、図２のセットアップページを示す。
【図５】本発明に係るチャレンジ／応答手順の詳細をさらに記載する、図２のセットアップページを示す。
【図６】本発明に係るチャレンジ／応答手順の詳細をさらに記載する、図２のセットアップページを示す。
【図７】ユーザに付与される新しい電子メールアドレスを含む、本発明に係る方法およびシステムの「加入セッション」中にユーザに提供されるレビュー情報を示す。
【図８】「加入セッション」中にユーザに提供されるさらなるレビュー情報を示す。
【図９】新しい潜在的メンバ（送信者）が本発明に係る方法およびシステムのユーザに初めて電子メールを送信するときに受信する、本発明のチャレンジ／応答手順にアクセスするためのウェブサイトへの指示を含む、第１ページを示す。
【図１０】本発明に係るチャレンジ／応答手順中に潜在的な新しいメンバに提示される質問を示す。
【図１１】図１０のチャレンジ／応答手順で正しい応答を提供する効果、つまり本発明の方法およびシステムのユーザに送達するための審査を電子メールが通過して、新しいメンバにメンバチャネルが提供されることを示す。
【図１２】本発明に係る代替的チャレンジ／応答手順を含む、メンバに提供される本発明の代替的実施形態に係る開始ページを示す。
【図１３】電子メールアドレス、つまりｙｏｕ＠ｍｒｓｐａｍｓｔｏｐｐｅｒ．ｃｏｍによりユーザが経験する本発明に係る方法およびシステムの効果の略図を示す。
【図１】
2008520022.tif 000003
【図２】
2008520022.tif 000004
【図３】
2008520022.tif 000005
【図４】
2008520022.tif 000006
【図５】
2008520022.tif 000007
【図６】
2008520022.tif 000008
【図７】
2008520022.tif 000009
【図８】
2008520022.tif 000010
【図９】
2008520022.tif 000011
【図１０】
2008520022.tif 000012
【図１１】
2008520022.tif 000013
【図１２】
2008520022.tif 000014
【図１３】
2008520022.tif 000015
【国際調査報告】
2008520022.tif 000016
2008520022.tif 000017
2008520022.tif 000018